【手続補正書】
【提出日】平成20年6月26日(2008.6.26)
【手続補正１】
【補正対象書類名】明細書
【補正対象項目名】特許請求の範囲
【補正方法】変更
【補正の内容】
【特許請求の範囲】
【請求項１】 データを保存するための複数のサーバとネットワークを介して接続されたデータ保存サービス装置において、
少なくともユーザのサービス加入条件のレベルに応じて前記サーバを選択する選択手段と、
前記選択手段により選択されたサーバに対して、保存要求されたデータを格納する格納制御手段と、
を有することを特徴とするデータ保存サービス装置。  
【請求項２】  前記選択手段は、少なくとも２つ以上の前記サーバを選択することを特徴とする請求項１記載のデータ保存サービス装置。
【請求項３】  前記格納制御手段は、前記選択手段により選択されたサーバに対応する暗号化方式で前記保存要求されたデータを暗号化して当該選択されたサーバに格納することを特徴とする請求項１又は２記載のデータ保存サービス装置。  
【請求項４】  前記サービス加入条件のレベルは、サービスに対する対価とサービスの享受期間との少なくとも何れかに基づいて決定されていることを特徴とする請求項１〜３の何れかに記載のデータ保存サービス装置。
【請求項５】  前記選択手段は、災害情報に基づいて前記サーバを選択することを特徴とする請求項１〜４の何れかに記載のデータ保存サービス装置。
【請求項６】  前記選択手段は、保存要求を行ったクライアント機器の存在地域を考慮して前記サーバを選択することを特徴とする請求項１〜５の何れかに記載のデータ保存サービス装置。
【請求項７】  前記選択手段は、保存要求を行ったユーザのサービス加入条件のレベルに対応する前記サーバの中から、罹災リスクの最も低いサーバと、
保存要求を行ったクライアント機器の存在地域以外の地域に存在するサーバの中で罹災リスクの最も低いサーバとを選択することを特徴とする請求項１〜６の何れかに記載のデータ保存サービス装置。
【請求項８】  前記選択手段は、保存要求を行ったユーザのサービス加入条件のレベルが変更された場合は前記サーバを選択し直し、前記格納制御手段は、当該選択手段により選択し直されたサーバに対して、前記保存要求されたデータを格納し直すことを特徴とする請求項１〜７の何れかに記載のデータ保存サービス装置。
【請求項９】  前記選択手段は、前記災害情報の変化に応じて前記サーバを選択し直し、前記格納制御手段は、当該選択手段により選択し直されたサーバに対して、前記保存要求されたデータを格納し直すことを特徴とする請求項１〜８の何れかに記載のデータ保存サービス装置。
【請求項１０】  前記選択手段は、保存要求を行ったクライアント機器の存在地域が変更された場合は前記サーバを選択し直し、前記格納制御手段は、当該選択手段により選択し直されたサーバに対して、前記保存要求されたデータを格納し直すことを特徴とする請求項１〜９の何れかに記載のデータ保存サービス装置。
【請求項１１】  更に、前記格納制御手段により前記サーバに格納されたデータの正当性を調査する調査手段を含むことを特徴とする請求項１〜１０の何れかに記載のデータ保存サービス装置。
【請求項１２】  前記調査手段は、前記格納制御手段により複数のサーバに格納された保存要求に係る同一のデータ同士を比較することにより、正当性を調査することを特徴とする請求項１１記載のデータ保存サービス装置。
【請求項１３】  前記調査手段は、メモリ媒体に起因してデータが不当になったのか否かを判別することを特徴とする請求項１１又は１２記載のデータ保存サービス装置。
【請求項１４】  前記調査手段は、データの改竄によりデータが不当になったのか否かを判別することを請求項１１〜１３の何れかに記載のデータ保存サービス装置。
【請求項１５】  更に、前記保存要求を行ったユーザが当該サービスの会員であるか否かを認証する認証手段を含み、当該認証手段により認証されたユーザからの保存要求だけを受理することを特徴とする請求項１〜１４の何れかに記載のデータ保存サービス装置。
【請求項１６】  更に、前記選択手段により選択されたサーバの正当性を認証する認証手段を含み、前記格納制御手段は、当該認証手段により認証されたサーバに対してだけ、前記保存要求されたデータを格納することを特徴とする請求項１〜１５の何れかに記載のデータ保存サービス装置。
【請求項１７】  更に、少なくとも前記格納制御手段によるデータ格納処理に関する格納条件データを、当該保存要求を行ったクライアント機器に通知する通知手段を含むことを特徴とする請求項１〜１６の何れかに記載のデータ保存サービス装置。
【請求項１８】  前記通知手段は、前記格納条件データとして、保存要求に係るデータの格納位置データの他に、暗号化のアルゴリズム、暗号鍵のデータを通知することを特徴とする請求項１７記載のデータ保存サービス装置。
【請求項１９】  前記クライアント機器は、少なくとも前記通知手段により通知された格納条件データを記憶する記憶手段を有することを特徴とする請求項１７又は１８記載のデータ保存サービス装置。
【請求項２０】 データを保存するための複数のサーバとネットワークを介して接続されたデータ保存サービス装置の制御方法において、
少なくともユーザのサービス加入条件のレベルに応じて前記サーバを選択する選択工程と、
前記選択工程により選択されたサーバに対して、保存要求されたデータを格納する格納制御工程と、
を有することを特徴とするデータ保存サービス装置の制御方法。
【請求項２１】 データを保存するための複数のサーバとネットワークを介して接続されたデータ保存サービスシステムにおいて、
少なくともユーザのサービス加入条件のレベルに応じて前記サーバを選択する選択手段と、
前記選択手段により選択されたサーバに対して、保存要求されたデータを格納する格納制御手段と、
を有することを特徴とするデータ保存サービスシステム。
【請求項２２】 データを保存するための複数のサーバとネットワークを介して接続されたデータ保存サービス装置に、
少なくともユーザのサービス加入条件のレベルに応じて前記サーバを選択させ、
当該選択させたサーバに対して、保存要求されたデータを格納させることを特徴とする制御プログラム。
【手続補正２】
【補正対象書類名】明細書
【補正対象項目名】０００８
【補正方法】変更
【補正の内容】
【０００８】
【課題を解決するための手段】
上記課題を解決するため、本発明は、データを保存するための複数のサーバとネットワークを介して接続されたデータ保存サービス装置において、少なくともユーザのサービス加入条件のレベルに応じて前記サーバを選択する選択手段と、前記選択手段により選択されたサーバに対して、保存要求されたデータを格納する格納制御手段とを有している。
【手続補正３】
【補正対象書類名】明細書
【補正対象項目名】０００９
【補正方法】変更
【補正の内容】
【０００９】
また、本発明は、データを保存するための複数のサーバとネットワークを介して接続されたデータ保存サービス装置の制御方法において、少なくともユーザのサービス加入条件のレベルに応じて前記サーバを選択する選択工程と、前記選択工程により選択されたサーバに対して、保存要求されたデータを格納する格納制御工程とを有している。
【手続補正４】
【補正対象書類名】明細書
【補正対象項目名】００１０
【補正方法】変更
【補正の内容】
【００１０】
また、本発明に係る制御プログラムは、データを保存するための複数のサーバとネットワークを介して接続されたデータ保存サービス装置に、少なくともユーザのサービス加入条件のレベルに応じて前記サーバを選択させ、当該選択させたサーバに対して、保存要求されたデータを格納させるように構成されている。